(57)【特許請求の範囲】
【請求項１】
塗布具付き容器の容器内に第１の化粧料と第２の化粧料を収容し、該塗布具を用いて、それらの化粧料を任意の配合で混合し塗布する方法、それらの化粧料を重ね塗りする方法、または、それらの化粧料をそれぞれ単独で塗布する方法のいずれの塗布方法も可能な塗布具付き容器であって、第１の化粧料を収容する第一収容部を備えた容器本体と、該容器本体の口部に装着自在に形成され、第２の化粧料を収容する第二収容部を備えるとともに、その開口部には塗布軸と該塗布軸先端に形成された塗布体からなる塗布具が垂設されたキャップ部とを有し、前記第１の化粧料および前記第２の化粧料の少なくとも一方が口唇用化粧料であり、前記塗布体の先端側には吐出口が形成されるとともに、前記塗布具内には前記第二収納部から該吐出口へと連通する通路孔が形成されており、キャップ部内に設けられた吐出手段により、第二収納部内の第２の化粧料が前記通路部を通って前記吐出口より吐出されることを特徴とする塗布具付き容器。
【請求項２】
前記容器本体の口部内に、シゴキ部が突設されていることを特徴とする請求項１に記載の塗布具付き容器。
【請求項３】
前記塗布体が弾性を有する樹脂により形成されていることを特徴とする請求項１または請求項２のいずれかに記載の塗布具付き容器。
【請求項４】
前記塗布体が静電植毛処理されていることを特徴とする請求項１ないし請求項３のいずれか１項に記載の塗布具付き容器。
【請求項５】
前記吐出手段が、ノック式吐出機構であることを特徴とする請求項１ないし請求項４のいずれか１項に記載の塗布具付き容器。
【請求項６】
前記第１の化粧料および前記第２の化粧料が、互いに種類の異なる粘性液状の化粧料である請求項１ないし請求項５のいずれか１項に記載の塗布具付き容器。
【請求項７】
前記第２の化粧料が、光輝性粉体を含有することを特徴とする請求項１ないし請求項６のいずれか１項に記載の塗布具付き容器。
【請求項８】
前記キャップ部の少なくとも一部が透明の材質で形成され、外部より前記第一収容部内の化粧料が視認できることを特徴とする請求項１ないし請求項７のいずれか１項に記載の塗布具付き容器。
【請求項９】
請求項１ないし請求項８に記載の塗布具付き容器の、前記第一収容部および前記第二収容部にそれぞれ種類の異なる粘性液状の第１の化粧料と第２の化粧料を収容することを特徴とする用時混合型化粧品。
【請求項１０】
前記第１の化粧料および前記第２の化粧料のうち少なくとも一方が、油剤、油ゲル化剤および粉体成分を含有する油性の粘性液状化粧料であることを特徴とする請求項９に記載の用時混合型化粧品。
【請求項１１】
請求項１ないし請求項８に記載の塗布具付き容器を用いて、前記第一収容部および前記第二収容部にはそれぞれ種類の異なる粘性液状の第１の化粧料と第２の化粧料を収容し、前記第一収容部内に所望量の前記第二収容部の第２の化粧料を吐出させ、第１の化粧料と第２の化粧料とを任意の配合比にて混合して、被塗布部位に塗布することを特徴とする化粧方法。
【請求項１２】
請求項１ないし請求項８に記載の塗布具付き容器を用いて、前記第一収容部および前記第二収容部にはそれぞれ種類の異なる粘性液状の第１の化粧料と第２の化粧料を収容し、塗布体にて前記第一収容部の第１の化粧料を被塗布部位に塗布し、その後、前記第二収容部の第２の化粧料を吐出させて被塗布部位に重ね塗りすることを特徴とする化粧方法。
【発明の詳細な説明】
【技術分野】
【０００１】
本発明は、塗布具付き容器に関し、更に詳細には、異なる特性を有する２種類の内容物を収容し、それぞれを単独に塗布することも、また使用者の好みに応じて使用時に任意の配合で混合し、塗布することも可能とする塗布具付き容器の構成に関するものである。
【背景技術】
【０００２】
２種類の異なる内容物を別々に収容し、使用時にそれらを混合して塗布することができる、いわゆる用時混合型の塗布具付き容器として、特許文献１には、使用時に各内容物を一定の比率で混合して塗布することが可能な容器が開示されている。
【０００３】
しかしながら、このものは各内容物の混合比があらかじめ決まっているため、使用者の好みに応じて各内容物を任意の配合で混合することはできず、配合の比率を変えるにはパッケージの設計そのものを変更して管理する必要があった。
【０００４】
【特許文献１】特開２００３−２２６３７６
【発明の開示】
【発明が解決しようとする課題】
【０００５】
そこで本発明は、従来の用時混合型塗布具付き容器のかかる欠点を克服し、簡単な操作により、異なる特性を有する２種類の内容物を使用者の好みに応じて任意の配合で混合し塗布することも、またそれぞれを単独に塗布することも可能とする用時混合型の塗布具付き容器の提供をその課題とするものである。
【課題を解決するための手段】
【０００６】
本発明は、上記課題を解決するものであり、第１の内容物を収容する第一収容部を備えた容器本体と、該容器本体の口部に装着自在に形成され、第２の内容物を収容する第二収容部を備えるとともに、その開口部には塗布軸と該塗布軸先端に形成された塗布体からなる塗布具が垂設されたキャップ部とを有する塗布具付き容器であって、前記塗布体には吐出口が形成されるとともに、前記塗布具内には前記第二収納部から該吐出口へと連通する通路孔が形成されており、キャップ部内に設けられた吐出手段により、第二収納部内の内容物が前記通路部を通って前記吐出口より吐出されることを特徴とする塗布具付き容器である。
【０００７】
また、本発明は、前記塗布具付き容器の、前記第一収容部および前記第二収容部にそれぞれ種類の異なる粘性液状の第１の化粧料と第２の化粧料を収容することを特徴とする用時混合型化粧品である。
【０００８】
更に、本発明は、前記塗布具付き容器を用いて、その前記第一収容部および前記第二収容部にはそれぞれ種類の異なる粘性液状の第１の化粧料と第２の化粧料を収容し、前記第一収容部内に所望量の前記第二収容部の第２の化粧料を吐出させ、第１の化粧料と第２の化粧料とを任意の配合比にて混合して、被塗布部位に塗布することを特徴とする化粧方法である。
【発明の効果】
【０００９】
本発明の塗布具付き容器は、使用者の好みに応じて簡単な操作により第１と第２の内容物を任意の配合で混合し、塗布することができる。また、好みに応じて、いずれかの内容物のみ塗布することも可能である。
【００１０】
さらに、本発明の塗布具付き容器は、第１の内容物のみ塗布し、その後、同じ部位に第２の内容物を重ね塗りすることも容易にできる。この場合、重ね塗りする部分とどちらか一方のみを塗布する部分を併存させて、両者を被塗布部に不均一に塗布することにより模様等を描くことも、簡単な操作で行うことができる。
【図面の簡単な説明】
【００１１】
【図１】（ａ）は本発明の塗布具付き容器の平面図。                                    （ｂ）は本発明の塗布具付き容器の正面図。
【図２】本発明の塗布具付き容器の断面図。
【発明を実施するための形態】
【００１２】
以下、本発明の塗布具付き容器の実施態様を、図面に基づいて具体的に説明する。なお、本発明はこれら実施態様に何ら制約されるものではない。
【００１３】
図１（ａ）は、本発明の塗布具付き容器の平面図、図１（ｂ）は同正面図、図２は同断面図である。図中、１は容器本体、２はキャップ部、３はノック式吐出手段、４は塗布具、さらに、１１は容器口部、１２は第一収容部、１３はゴム部材、１４はシゴキ部、２１はキャップ開口部、２２は第二収容部、２３は後部開口、３１はノック部材、３２は筒部、３３はネジ棒、３４はクラッチ、３５は回転部材、３６はスプリング、３７はジョイント、３８はピストン、４１は塗布軸、４２は塗布体、４３は通路孔、４４は吐出口、４５は植毛部をそれぞれ示す。
【００１４】
図に示すように、本発明の塗布具付き容器は、有底筒状の容器本体１および容器本体１の口部１１に装着される筒状のキャップ部２からなり、容器本体１とキャップ部２の内部には、それぞれ異なる特性を有する内容物を収容できる第一収容部１２と第二収容部２２が形成されている。そして、キャップ部２内には吐出手段３が設けられており、その一部であるノック部材３１がキャップ部２の後端より露出している。
【００１５】
容器本体１の構成は以下の通りである。容器本体１内には第一収容部１２が形成されており、第１の内容物を収容するとともに、キャップ部２を容器本体１に装着した際に、塗布具４を収納する。容器本体１の口部１１の外周部はキャップ部２が装着できるように形成されており、その内周部には筒状のゴム部材１３が嵌着されている。さらに、かかるゴム部材１３の内周面のおよそ中間部にはゴム部材１３と同一の材質からなるシゴキ部１４が鍔状に突設されている。シゴキ部１４が形成されている部分の開口径は塗布軸４１の外径よりも小さくなるよう形成され、さらに、シゴキ部１４は弾性部材で形成されているため、第一収容部１２内から塗布具４を引き抜く際、シゴキ部１４が塗布軸４１に押し付けられ、塗布軸４１や塗布体４２に付着した余分な化粧料をそぎ落とすことができる。なお、本実施態様では、シゴキ部１４はゴム部材１３に形成されているが、容器本体１の口部１１の内周部に直接シゴキ部１４を設けても良い。
【００１６】
容器本体１の材質に関して、内容物を保存するに十分な強度・耐性があれば特に限定されないが、第一収容部１２内が外部より視認できるよう、その一部あるいは全部を透明の材質を使用してもよい。具体的には、ガラスや、有色透明あるいは無色透明の樹脂、例えばポリエチレンテレフタレート（ＰＥＴ）、ポリプロピレン（ＰＰ）、ポリアクリロニトリル（ＰＡＮ）等を好適に使用することができる。ＰＡＮとしては、バレックス（登録商標）等の市販品の利用が可能である。
【００１７】
キャップ部２の構成は以下の通りである。キャップ部２の開口部２１の内周部は容器本体１の口部１１の外周部に装着可能に形成されており、その中心からは塗布軸４１とその先端に設けられた塗布体４２からなる塗布具４が垂設されている。そして、塗布軸４１と塗布体４２の内部には通路孔４３が軸方向に貫設されている。かかる通路孔４３は、その一方が塗布体４２の先端側に形成された吐出口４４へ通じ、他方はキャップ部２内の第二収容部２２へと通じている。通路孔４３の径は第二収容部２２に収容される内容物の粘性にもよるが、概ね０．５ｍｍ〜３ｍｍ、特に１ｍｍ〜１．５ｍｍの範囲内にあることが好ましい。
【００１８】
塗布体４２の素材としては、特に制約はないが、例えば、ポリエチレン、ポリプロピレン、ポリエチレンテレフタレート、ナイロン、ポリウレタン、ポリアクロルニトリルブタジエンスチレン、ポリスチレン、ポリアクリロニトリルブタジエンゴム、ポリスチレンブタジエンゴム、ポリイソプレン、シリコンゴム等のプラスチックやゴム類、更に、ポリエステル系、ウレタン系、オレフィン系、ポリカーボネート系等のエラストマーを使用することができる。これらの中でも、塗布体４２は弾性を有する樹脂により形成されていることが好ましく、特にエラストマーを好適に使用することができる。ポリエステル系のエラストマーとしては、例えば、ハイトレル（登録商標）Ｇ３５４８Ｌ、ペルプレン（登録商標）Ｐ３０Ｂ、ペルプレン（登録商標）Ｐ４０Ｂ、ウレタン系のエラストマーとしては、例えば、東洋紡ウレタン（登録商標）Ｅ−３０９０Ａ、東洋紡ウレタン（登録商標）Ｅ−３０７０Ａ、パンデックス（登録商標）Ｔ−８１９０、オレフィン系のエラストマーとしては、例えば、サーリンク（登録商標）３１７０、ポリカーボネート系のエラストマーとしては、例えば、パンデックス（登録商標）Ｔ−９２９０を利用することができる。
【００１９】
また、塗布体４２は上記素材により形成された成型物そのものでもよいが、その一部または全部に、短繊維による静電植毛を施してもよい。本実施態様では、塗布体４２の表面が静電植毛されており、特に口唇用等の化粧料に対しては弾性を有する塗布体４２の素材と相まって使い勝手の良さおよび使用感を高めることができる。かかる短繊維としては、静電植毛用の短繊維として使用可能なものであれば特に限定されないが、例としてはナイロン、ポリエステル、アクリル、ビニロン、ポリブチレンテフタレート等の合成繊維、レーヨン、アセテート等の再生繊維、羊毛、絹、綿、麻等の天然繊維等が挙げられる。短繊維の形状としては、長さ０．５〜２ｍｍ、太さ０．０１〜０．１ｍｍのものが好ましく、長さ０．５〜１．５ｍｍ、太さ０．０１〜０．０６ｍｍのものが特に好ましい。なお、静電植毛の短繊維は、その長さや太さを部分的に変えたり、異なる形状のものを混合して使用しても良く、例えば本実施態様の塗布体４２において、先端の傾斜面に施された静電植毛の短繊維の長さを、他の部分の短繊維の長さより長くし、内容物の含みをよくする仕様などとしてもよい。
【００２０】
キャップ部２内に設けられたノック式吐出手段３は、ノック部材３１の後端部を押すことにより、内部のネジ棒３３が回転し、第二収容部２２内に摺動可能に設けられたピストン３８を先端側へ移動せしめ、第二収容部２２内の内容物を外部に吐出させることができる。
【００２１】
ノック式吐出手段３について、さらに詳細に説明する。ノック式吐出手段３の構成は以下の通りである。筒部３２がキャップ部２の後部開口２３より嵌合され、筒部３２の先端にはジョイント３７が嵌合されている。ジョイント３７の中心には開口部が形成されており、その開口部の内壁面にはネジが形成されている。そして、かかる開口部に、外壁面にネジが形成されたネジ棒３３が螺合されている。ネジ棒３３には、筒状の回転部材３５が軸方向へ移動可能に環装されている。回転部材３５は筒部３２内で回転可能に形成されているが、ネジ棒３３に対しては回転方向の動きが規制されており、よって、回転部材３５が回転することによりネジ棒３３も同調して回転する。ネジ棒３３には、さらに回転部材３５の後方側にクラッチ３４が環装されている。クラッチ３４は、ネジ棒３３に対して軸方向への移動が可能であり、回転方向の動きも自由である。そして、クラッチ３４の後端にはノック部材３１が嵌合されている。ジョイント３７と回転部材３５との間にはスプリング３６が設けられており、回転部材３５を常に後方へと付勢している。
【００２２】
ノック式吐出手段３の動作は以下の通りである。まず、ノック部材３１を押し下げることにより、連動してクラッチ３４が前方へ移動し、それに伴って回転部材３５も前方へ移動する。そして、ノック部材３１の押圧を解除すると、スプリング３６の働きにより、クラッチ３４及び回転部材３５は元の位置に復帰するが、このとき、回転部材３５の外周壁部に形成された突起部が、筒部３２の内周壁部に形成されたガイドリブ（図示せず）に誘導されて、回転部材３５自体に１／８周分の回転運動が加えられる。回転部材３５が回転した結果、ネジ棒３３も連動して回転するが、ジョイント３７は筒部３２に固設されているため、ネジの螺合によりネジ棒３３がその回転分だけ前進することになる。ネジ棒３３の先端にはピストン３８が第二収容部２２内を軸方向に摺動自在に取り付けられており、ネジ棒３３が前進することにより、ピストン３８も第二収容部２２内を前進するため、内容物を塗布具４方向へと押し出す。その結果、内容物は塗布具４内の通路孔４３を通って、吐出口４４から外部へ吐出される。
【００２３】
本実施態様における吐出手段はこのようにノック式の押出し機構を採用しているが、たとえば、ネジ棒３３を容器外部から直接回転させることによる回転微動式押出し機構を採用してもよく、その他の吐出手段も適宜利用することが可能であるが、片手で操作でき、一度の操作で微量の内容物を吐出可能な本実施態様のノック式吐出手段が特に好ましい。
【００２４】
容器本体１の第一収容部１２とキャップ部２の第二収容部２２には、それぞれ異なる特性を有する２種類の内容物が収容される。好ましい例として、具体的には、第一収容部１２には第１の化粧料、第二収容部２２には第２の化粧料というように、それぞれ種類の異なる化粧料が収容される。本発明の塗布具付き容器のメリットを十分に享受し得る２種類の化粧料は、両者とも塗布具により塗布可能で、少なくとも第２の化粧料については吐出口４４から吐出可能であることが必要であり、また両者が任意の割合で混合可能であることが好ましい。このため、両者が自重や塗布具４等による外力によって流動性を示すような特性を有することが好ましく、更に、塗布具４による被塗布部位への塗布をし易くするために、両者とも、３０℃において、低粘性のところでは粘度が２，０００ｍＰａ・ｓ程度（ブルックフィールド型粘度計）、粘度が測れないような高粘性のところでは稠度（ＪＩＳ−Ｋ−２２２０準拠、稠度計、３０ｇアルミニウムコーン使用、落下５秒後の値）が２００程度の値を示すような粘性の範囲内、とりわけ５，０００ｍＰａ・ｓ〜１００，０００ｍＰａ・ｓの粘度の範囲内にあることが好ましい。更に、第１の化粧料と第２の化粧料を混合して使用する場合、両者の粘性を同じか、または近いものにすれば、混合がよりし易くなる。
【００２５】
本発明の塗布具付き容器に収容する第１の化粧料、第２の化粧料としては、前述のような流動特性を有するものであれば、何れの組成物であっても使用可能であるが、両者のうち少なくとも一方、好ましくは両方が、油剤、油ゲル化剤および粉体成分を含有する油性の粘性液状組成物であれば、塗布具を用いて被塗布部位に塗布し易く、しかも安定性も確保できることから、特に好ましい。とりわけ、粉体成分の少なくとも一部に、色素粉体や光輝性粉体等の加飾効果を有するものを用いればメイクアップ用化粧料、特に口唇用のメイクアップ用化粧料として好適であり、色や光沢等の異なる第１の化粧料と第２の化粧料を口唇に各々単独で用いることも、また任意の割合で混合して使用することも、更に両者を重ね塗りすることも簡単にできる。この場合、重ね塗りする部分とどちらか一方のみを塗布する部分を併存させ、両者を口唇に不均一に塗布することで模様を描いたり、輪郭線を描いたり、グラデーションを形成するなど、様々な使用方法を簡単な操作で行うことができ、本発明の塗布具付き容器の特徴を極めて有効に利用できる。これにより、従来になく使い勝手の良い液状口紅やリップグロス、リップライナー、リップ下地等のメイクアップ用化粧料を得ることができる。
【００２６】
前記の油性の粘性液状組成物において、油剤としては通常の化粧料に配合される油剤であれば特に限定されず、動物油、植物油、合成油等の油剤を使用できる。性状としては液体油、揮発性油、また最終的に塗布時の組成物の流動性を妨げない限りにおいて、固形油、半固形油等の使用が可能である。このような油剤としては、炭化水素類、油脂類、ロウ類、エステル油類、高級アルコール類、シリコーン類、フッ素系油類、ラノリン誘導体類等の油剤が挙げられ、具体的には流動パラフィン、ポリブテン、α−オレフィンオリゴマー、スクワラン、ワセリン等の炭化水素類；オリーブ油、ヒマシ油、アボカド油、ホホバ油等の油脂類；アルニカ、ローズマリー等植物からの油溶性抽出物；ミツロウ、カルナウバワックス、キャンデリラワックス等のロウ類；イソステアリン酸イソセチル、トリイソステアリン酸トリメチロールプロパン、トリ−２−エチルヘキサン酸グリセリル、２−エチルヘキサン酸セチル、トリメリト酸トリトリデシル、ジ−２−エチルヘキサン酸ネオペンチルグリコール、テトラ−２−エチルヘキサン酸ペンタエリスリトール、オレイン酸オレイル、オレイン酸オクチルドデシル、オレイン酸デシル、ジカプリン酸ネオペンチルグリコール、リンゴ酸ジイソステアリル、クエン酸トリエチル、コハク酸２−エチルヘキシル、パルミチン酸イソプロピル、パルミチン酸２−エチルヘキシル、１２−ヒドロキシステアリル酸コレステリル、ジペンタエリスリトール脂肪酸エステル、ミリスチン酸イソプロピル、ミリスチン酸２−オクチルドデシル、ロジン酸ペンタエスリトールエステル、モノステアリン酸グリセリル、酢酸ＤＬ−α−トコフェロ−ル、アスコルビン酸エステル、Ｎ−ラウロイル−Ｌ−グルタミン酸−２−オクチルドデシル、Ｎ−ラウロイル−Ｌ−グルタミン酸ジ（フィトステアリル・２−オクチルドデシル）、Ｎ−ラウロイル−Ｌ−グルタミン酸ジ（コレステリル・ベヘニル・オクチルドデシル）、Ｎ−ラウロイル−Ｌ−グルタミン酸ジ（コレステリル・オクチルドデシル）等のエステル類；ステアリルアルコール、セチルアルコール、ベヘニルアルコール、オレイルアルコール、イソステアリルアルコール、２−オクチルドデカノール等の高級アルコール類；ジメチルポリシロキサン、メチルフェニルポリシロキサン、デカメチルシクロペンタシロキサン、オクタメチルシクロテトラシロキサン、アルコキシ変性オルガノポリシロキサン、フッ素変性シリコーン等のシリコーン類；パーフルオロポリエーテル等のフッ素系油類；香料等が挙げられ、これらを１種または２種以上を併用し、用いることができる。油剤の配合量は特に限定されないが、組成物中５０〜９９．９質量％（以下、「質量％」を「％」と略記する）程度配合することが好ましい。
【００２７】
油ゲル化剤としては、化粧料で使用可能な油ゲル化剤であれば特に限定されず、たとえば１２−ヒドロキシステアリン酸、金属セッケン、有機性粘土鉱物、デキストリン脂肪酸エステル、イヌリン脂肪酸エステル、ショ糖脂肪酸エステル等が使用可能であるが、これらの中でも特にミリスチン酸デキストリン、パルミチン酸デキストリン、パルミチン・２−エチルヘキサン酸デキストリン等のデキストリン脂肪酸エステルや、イヌリン脂肪酸エステルが塗布後の口唇に良好なツヤ感を付与でき、また組成物の安定性向上に優れる点で好ましい。油ゲル化剤の配合量は特に限定されないが、組成物中０．０１〜２０％程度配合することが好ましい。
【００２８】
粉体成分としては、化粧品に一般に使用される粉体成分であれば無機粉体、光輝性粉体、有機粉体、色素粉体、金属粉体、複合粉体またはこれらの疎水化処理粉体等、何れも使用可能で、粉体粒子個々の形状も球状、板状、針状をはじめ種々の形状のものが、粒子径も煙霧状、微粒子、顔料級等、種々の粒子径や種々の分布を有するものが、更に粒子の構造も多孔質や無孔質等、種々の構造を有するものが使用可能である。具体的には、酸化チタン、酸化亜鉛、酸化セリウム、硫酸バリウム、酸化鉄、カーボンブラック、チタン・酸化チタン焼結物、紺青、群青、タルク、白雲母、金雲母、合成雲母、絹雲母（セリサイト）、合成セリサイト、カオリン、炭化珪素、酸化ジルコニウム、珪ソウ土、無水ケイ酸、ケイ酸アルミニウム、メタケイ酸アルミニウムマグネシウム、ケイ酸マグネシウム、炭酸カルシウム、ヒドロキシアパタイト、窒化ホウ素等の無機粉体；雲母チタン、酸化鉄雲母チタン、紺青処理雲母チタン、有機色素処理雲母チタン、オキシ塩化ビスマス、魚鱗箔等のパール顔料や、ポリエチレンテレフタレート・アルミニウム・エポキシ積層末、ポリエチレンテレフタレート・ポリオレフィン積層フィルム末、ポリエチレンテレフタレート・ポリメチルメタクリレート（ＰＥＴ・ＰＭＭＡ）積層フィルム末等のラメ剤に代表される光輝性粉体；ナイロン末、ポリエチレン末、ポリアクリル系樹脂粉末、ポリエステル系樹脂粉末、フッ素系樹脂粉末、セルロース末、シルク粉末、ポリスチレン系樹脂粉末、スチレン−アクリル共重合樹脂粉末、ポリプロピレン系樹脂粉末、シリコーン樹脂粉末、ウレタン樹脂粉末、Ｎ−アシルリジン等の有機粉体；赤色３号、赤色１０４号、赤色１０６号、橙色２０５号、黄色４号、黄色５号、緑色３号、青色１号等のジルコニウム、バリウムまたはアルミニウムレーキ、赤色２０１号、赤色２０２号、赤色２０５号、赤色２２６号、赤色２２８号、橙色２０３号、橙色２０４号、青色４０４号、黄色４０１号等の色素粉体；アルミニウム粉、金粉、銀粉等の金属粉体；等が挙げられ、これら粉体や、更にこれらを複合化したもの、あるいはシリル化処理等により表面を疎水化したものを、１種または２種以上併用して使用することができる。粉体成分の配合量は特に限定されないが、組成物中０．０１〜２０％程度配合することが、組成物の流動性確保の点から好ましい。
【００２９】
その他、上記成分に加えて、精製水、ローズ水等の水；アニオン性界面活性剤、カチオン性界面活性剤、両性界面活性剤、半極性界面活性剤、リン脂質等の界面活性剤；単糖類、多糖類、糖アルコール、アミノ酸、ペプチド類、水溶性ビタミン類、水溶性植物抽出物、多価アルコール、一価低級アルコール、グリチルリチン酸塩等の水溶性成分；パラオキシ安息香酸エステル、フェノキシエタノール、イオウ等の防腐・殺菌剤；オキシベンゾン、パラアミノ安息香酸エステル、メトキシケイ皮酸エステル、メトキシジベンゾイルメタン等の紫外線吸収剤；ＢＨＡ、ＢＨＴ、トコフェロール等の酸化防止剤；メントール、カンファー等の清涼剤；等、通常化粧料に配合される他の成分を、組成物の品質を損なわない範囲で配合することができる。
【００３０】
本発明にかかる塗布具付き容器の使用例として、たとえば、第一収容部１２には色素粉体を含有する下記組成例１の液状口紅を収容し、第二収容部２２にはラメ剤やパール顔料等の光輝性粉体を多く含有する下記組成例２のリップグロスを収容する。そして、昼用のメイクとして、第一収容部１２の液状口紅のみ塗布し、夜用のメイクとしては、第一収容部１２の液状口紅を塗布する際に、吐出手段によって第二収容部２２の光輝性粉体入りリップグロスを吐出し、両化粧料を任意の割合で混合して好みのパール・ラメ感を有する口紅としたものを塗布することができる。第二収容部２２のリップグロス吐出のタイミングとしては、キャップ部２を容器本体１から取り外す直前か、あるいは塗布具４を第一収容部１２内から引き抜いたとき、すなわち、塗布の直前に行うことが好ましいが、このほかに、たとえば、塗布具４を第一収容部１２内から引き抜いて、まず、塗布体４２に付着する液状口紅のみ塗布し、その後、第二収容部２２のリップグロスを吐出して塗布してもよい。かかる使用方法により、液状口紅の上からリップグロスを重ね塗りすることができる。また、重ね塗りを部分的に行い、ラメ剤・パール顔料による模様を描いたり、パール・ラメ効果が高い部分から同効果のない部分へグラデーションを形成するなど、両者を不均一に塗布することで容易に任意のデザインを形成することができる。
【００３１】
（組成例１）液状口紅
１．ポリブテン                                      ７０％
２．リンゴ酸ジイソステアリル                        １０％
３．トリ−２−エチルヘキサン酸グリセリル            １１．９％
４．デキストリン脂肪酸エステル                        ７％
５．黄色４号アルミニウムレーキ、赤色２０２号の混合物  ０．１％
６．無水ケイ酸                                        １％
【００３２】
（組成例２）リップグロス
１．ポリブテン                                      ６５％
２．リンゴ酸ジイソステアリル                        ２０％
３．トリ−２−エチルヘキサン酸グリセリル            １０％
４．デキストリン脂肪酸エステル                        ３％
５．雲母チタン、酸化鉄雲母チタンの混合物              ０．５％
６．ＰＥＴ・ＰＭＭＡ積層フィルム末                    １．５％
【００３３】
本発明にかかる塗布具付き容器のさらに異なる使用例は、併用することが可能な、異なる２種類の香料を第１の液状口紅および第２の液状口紅にそれぞれ配合し、第一収容部１２には第１の液状口紅を、第二収容部２２には第２の液状口紅を収容する。このものは、塗布具４により第１の液状口紅または第２の液状口紅を各々単独で口唇に塗布し、それぞれの香りを享受できるだけでなく、両者を任意の割合で組み合わせて混合することにより、オリジナルの香りを有する口紅として使用することができる。
【００３４】
さらに異なる使用例として、第一収容部１２および第二収容部２２にそれぞれ色の異なる第１の液状口紅および第２の液状口紅を収容する。このものは、第１の液状口紅または第２の液状口紅を各々単独で口唇に塗布し個々の色の口紅として使用できるだけでなく、両者を任意の割合で組み合わせて混合あるいは重ね塗りし、オリジナルの色彩の口紅として使用することができる。
【００３５】
これらの他、第１の化粧料として液状口紅、第２の化粧料としてツヤ効果のあるリップグロスを組み合わせた化粧品とすれば、それぞれを単独でツヤ出しの液状口紅およびツヤ出しのリップグロスとして使用できるほか、液状口紅を口唇に塗布した後で、任意の量のリップグロスを吐出して口紅塗布部分に上塗りしたり、特定部分だけにリップグロスを上塗りして、口唇に好みのツヤ感や、好みの部分へのツヤの付与が可能となる。
【００３６】
このように、本発明にかかる塗布具付き容器によれば、容器本体に収容された第１の化粧料のみ、またはキャップ部内に収容された第２の化粧料のみを塗布する通常の使用方法が可能なことはいうまでもなく、両者を任意の配合比で混合し塗布すること、あるいは両者を重ね塗りしたり、重ね塗りを部分的に行い不均一に塗布することで模様を描いたり、グラデーションを形成するなど、簡単に任意のデザインを形成することができる。従って、従来は容易でなかった様々な使用方法をひとつの容器で簡単に行うことができ、より使用者の好みに応じた自由度の高いメイクアップが可能となる。  
【符号の説明】
【００３７】
１  …  …  容器本体
２  …  …  キャップ部
３  …  …  ノック式吐出手段
４  …  …  塗布具
１１  …  …  容器口部
１２  …  …  第一収容部
１３  …  …  ゴム部材
１４  …  …  シゴキ部
２１  …  …  キャップ開口部
２２  …  …  第二収容部
２３  …  …  後部開口
３１  …  …  ノック部材
３２  …  …  筒部
３３  …  …  ネジ棒
３４  …  …  クラッチ
３５  …  …  回転部材
３６  …  …  スプリング
３７  …  …  ジョイント
３８  …  …  ピストン
４１  …  …  塗布軸
４２  …  …  塗布体
４３  …  …  通路孔
４４  …  …  吐出口
４５  …  …  植毛部
【図１】
0005641757.tif 000002
【図２】
0005641757.tif 000003